(57)【要約】      （修正有）【課題】上下の棚材の間の間隔を、適宜無段階に変更出来、錆や錆を原因物質とした塵等の発生がないすぐれた耐食性を有すると共に、軽量で移動させやすく、作業効率を向上させることが出来、しかも、素材のリサイクルやリユースが可能な棚車を提供する。【解決手段】縦構２と、この縦構２の両側の一対の張り出し片とを有するアルミ製押出成形材からなる４本の支柱１と梁材９と組み合わせてやぐら形構造物とし、棚材を支えるアングル材２４の両端を前記支柱１の張り出し片を使って、上下方向にスライド調整可能状態で保持出来る様にした。【選択図】図１
0003197770.tif 000002
【実用新案登録請求の範囲】
【請求項１】
四角柱状をなし、少なくとも一つの側面には、その長手方向軸芯に沿って上端から下端まで、縦溝（２）が形成されていると共に、該縦溝（２）の奥には、この縦溝（２）の裏面側の肉厚内を抉る様に左右方向に拡がった台形状断面の筒状空間（４）が該縦溝（２）に連通して軸芯に沿って上端（５）から下端（６）まで穿かれており、該縦溝（２）の両側は縦縁（７），（７）同士が間隔をあけて対向した一対の張り出し片（８），（８）となっているアルミ製押出成形材からなる支柱（１）の一対を、前記縦溝（２）が対向する様に一定の間隔を保って平行に位置させ、それぞれ上端（５）同士、下端（６）同士をアルミ製の梁材（９）で連結せしめて矩形の枠状体（１１）とし、更に、この枠状体（１１）の一対を一定の間隔を保って平行に位置させ、それぞれ上端（５）同士、下端（６）同士を同じくアルミ製梁材（９）で連結させて４本の支柱からなる直方体状をなしたやぐら形構造物（１２）とし、このやぐら形構造物（１２）の下面４隅にキャスター（１３）を取付けて、移動自在とし、更に、前記各支柱（１）の袋状空間（４）内に板状をなし中央にネジ孔（１４）が形成されている複数の先入れナット（１５）を、前記張り出し片（８）の裏面側に接する様に、それぞれ滑動自在に位置させると共に、中央に透孔（１７）が形成されている押圧板（１８）とこの押圧板（１８）の側縁からほぼ直角方向に側板（１９）が延設されているＬ字形断面を呈した複数のスライド部材（２０）を、前記押圧板（１８）の裏面側を縦溝（２）の外側から前記先入れナット（１５）の裏面側に対向させ、前記透孔（１７）を通して固定用ネジ（２１）を先入れナット（１５）のネジ孔（１４）にねじ込んで先入れナット（１５）と押圧板（１８）とを張り出し片（８）の表裏に押圧させて複数のスライド部材（２０）を各支柱（１）の縦溝（２）の任意の位置にそれぞれ固定し、更に、一対の支柱（１），（１）間の間隔とほぼ同じ長さの長尺状をなし、Ｌ字形に組み合わされた側板（２２）と底板（２３）とからなる耐食性のアングル材（２４）の長手方向両側の側板（２２）の裏面を前記スライド部材（２０）の側面に固着させることによって、アングル材（２０）を一対の支柱間に架橋状態で固定すると共に、やぐら形構造物（１２）の４本の支柱（４）間の間隔よりわずかに小さい外寸を有する長方形を呈した平面形状を有する棚材（２５）の側縁（２６）を前記アングル材（２４）の底板（２３）の上面に載置することにより、複数の棚材（２５）をやぐら形構造物（１２）の内側空間に、上下位置調整可能状態で固定できる様にしたことを特徴とする物品整理用の棚車。
【考案の詳細な説明】
【技術分野】
【０００１】
この考案は物品整理用の棚車、詳しくは各種物品や部品などを整理収納しておく為の移動式の整理棚に関するものである。
【背景技術】
【０００２】
各種製品の製造の際や在庫管理の為には、完成品や半完成品、あるいは部品などを仕分けして整然と整理収納しておく整理棚が必要であり、棚に移動機能を持たせた所謂、棚車が各種製造現場や倉庫などの物流関連施設等において多く用いられている。
【先行技術文献】
【特許文献】
【０００３】
【特許文献１】なし
【非特許文献】
【０００４】
【非特許文献１】なし
【考案の概要】
【考案が解決しようとする課題】
【０００５】
従来からある棚車の多くは、スチール製のアングル材やチャンネル材からなる支柱を組み合わせて立方体状のやぐら形構造物とし、その内側空間に複数の棚材を間隔をあけて水平に固定したものであり、上下の棚材間の間隔を変更することが出来ないものがほとんどであった。これは支柱がスチール製の為、支柱内に棚材を上下にスライドさせて任意の位置で固定する簡易な機構を付設することがむずかしく、棚材を支持する部材は溶接によって支柱に固定せざるを得なかったからである。
【０００６】
従って、棚材間の間隔を必要に応じて適宜拡げたり狭めたりして、様々な大きさの物品を一つの棚車に効率よく載置させることは不可能であり、物品のサイズに応じて、それに適合した棚材間の間隔となっている棚車を予め用意しておかなければならないという不便さがあった。
【０００７】
又、従来のものはスチール製であった為、錆や錆を原因物質とした塵の発生は避けられず、清浄さが厳しく要求されるクリーンルームでの使用には適さなかった。
【０００８】
更に、スチール製の為、重く、移動が容易でなく、年配者や女性では取扱いにくいという問題もあった。
【０００９】
本考案者は、各種製品の製造や在庫管理に欠かせない棚車の上記問題点を解決すべく鋭意研究を行った結果、上下の棚材の間の間隔を、適宜無段階に変更出来、錆や錆を原因物質とした塵等の発生がないすぐれた耐食性を有すると共に、軽量で移動させやすく、作業効率を向上させることが出来、しかも、素材のリサイクルやリユースが可能な棚車を実現すべく鋭意研究を行った結果、新たな棚車を開発することに成功し、本考案としてここに提案するものである。
【課題を解決するための手段】
【００１０】
四角柱状をなし、少なくとも一つの側面には、その長手方向軸芯に沿って上端から下端まで、縦溝が形成されていると共に、該縦溝の奥には、この縦溝の裏面側の肉厚内を抉る様に左右方向に拡がった台形状断面の筒状空間が該縦溝に連通して軸芯に沿って上端から下端まで穿かれており、該縦溝の両側は縦縁同士が間隔をあけて対向した一対の張り出し片となっているアルミ製押出成形材からなる支柱の一対を、前記縦溝が対向する様に一定の間隔を保って平行に位置させ、それぞれ上端同士、下端同士をアルミ製の梁材で連結せしめて矩形の枠状体とし、更に、この枠状体の一対を一定の間隔を保って平行に位置させ、それぞれ上端同士、下端同士を同じくアルミ製梁材で連結させて４本の支柱からなる直方体状をなしたやぐら形構造物とし、このやぐら形構造物の下面４隅にキャスターを取付けて移動自在とし、更に、前記各支柱の袋状空間内に板状をなし中央にネジ孔が形成されている複数の先入れナットを、前記張り出し片の裏面側に接する様に、それぞれ滑動自在に位置させると共に、中央に透孔が形成されている押圧板とこの押圧板の側縁からほぼ直角方向に側板が延設されているＬ字形断面を呈した複数のスライド部材を、前記押圧板の裏面側を縦溝の外側から前記先入れナットの裏面側に対向させ、前記透孔を通して固定用ネジを先入れナットのネジ孔にねじ込んで先入れナットと押圧板とを張り出し片の表裏に押圧させて複数のスライド部材を各支柱の縦溝の任意の位置にそれぞれ固定し、更に、一対の支柱間の間隔とほぼ同じ長さの長尺状をなし、Ｌ字形に組み合わされた側板と底板とからなる耐食性のアングル材の長手方向両側の側板の裏面を前記スライド部材の側面に固着させることによって、アングル材を一対の支柱間に架橋状態で固定すると共に、やぐら形構造物の４本の支柱間の間隔よりわずかに小さい外寸を有する長方形を呈した平面形状を有する棚材の側縁を前記アングル材の底板の上面に載置することにより、複数の棚材をやぐら形構造物の内側空間に、上下位置調整可能状態で固定できる様にして、物品整理用の棚車を構成した。
【考案の効果】
【００１１】
やぐら形構造物の内側空間に間隔をあけて位置せしめられている棚材に各種部品や物品などを載置し、整理収納の用に供するものであるが、棚材は耐食性のアングル材によってその側縁が支持されており、このアングル材の両端はスライド部材の側板に固定されているので、スライド部材を支柱の張り出し片に押圧固定している固定用ネジをゆるめて、その固定位置を変更することにより、上下の棚材間の間隔を自由に変更することが出来、高さの異なる部品や物品などを無駄なく効率的に整理収納することが可能である。
【００１２】
又、支柱はアルミを素材としているので、耐食性にすぐれ、錆や錆を原因物質とする粉塵が発生するおそれが極めて少なく、これらの発生を極度に嫌う精密電子部品の整理収納やクリーンルームでの作業の際にも用いることが出来る。なお、やぐら形構造物の天井面にＨＥＰＡフィルターを付せれば、これ自体を簡単なクリーンルームとすることも可能である。更に、支柱はアルミ製押出成形材を使用しており、支柱自体には溶接等の加工を加えていないので、用廃後には支柱として用いたアルミ製押出成形材のリユースが可能で、貴重なアルミ資源の有効利用を図ることが出来る。
【００１３】
又、従来のスチール製のものに比べ、極めて軽量であり、女性や年長者でも簡単に移動させることが出来ので、作業効率の大幅な改善を図ることが可能であると共に、メインテナンスフリーであり、従来のスチール製のものに比べ、はるかに優れた実用的価値を有する。
【図面の簡単な説明】
【００１４】
【図１】この考案に係る棚車の一実施例の棚材をはずした状態の全体の斜視図。
【図２】この考案に係る棚車の一実施例の棚材を取付けた状態の斜視図。
【図３】同じく、その要部である支柱のスライド部材取付け部分の拡大斜視図。
【図４】同じく、支柱と先入れナットとスライド部材との固定状況を説明した拡大断面図。
【図５】同じく、支柱と先入れナットとスライド部材との固定状況を説明する為、これらを分離して描いた拡大斜視図。
【図６】同じく、棚材の一例の斜視図。
【図７】同じく、棚材の他の例の斜視図。
【図８】同じく、棚材の更に他の例の斜視図。
【考案を実施するための形態】
【００１５】
縦溝と、この縦溝の両側に形成されている一対の張り出し片とを有するアルミ製押出成形材からなる４本の支柱と梁材と組み合わせてやぐら形構造物とし、棚材を支えるアングル材の両端を前記支柱の張り出し片を使って、上下方向にスライド調整可能状態で保持出来る様にした点に最大の特徴が存する。
【実施例】
【００１６】
図１及び図２はこの考案に係る棚車の実施例１の全体の斜視図、図３はその要部である支柱のスライド部材取付け部分の拡大斜視図である。
【００１７】
図中１は、この棚車の主要構成要素の一つである支柱であり、アルミを素材とし、図３に示す様に、四角柱状をなし、少なくとも一つの側面には、その長手方向軸芯に沿って上端５から下端６まで、縦溝２が形成されている。又、この縦溝２の奥には、この縦溝２の裏面側の肉厚３を抉る様に、左右方向に拡がった略台形状断面の筒状空間４が縦溝２に連通して軸芯に沿って上端５から下端６まで穿かれており、縦溝２の両側は、端縁７，７同士が間隔をあけて対向した一対の張り出し片８，８となっている。なお、この支柱１はアルミ材の押出成形の手法によって作られている。
【００１８】
そして、この支柱１は、その一対が対向して一定の間隔を保って平行に位置せしめられ、それぞれ上端５、下端６同士がアルミ製の梁材９の端部とステンレス製のブラケット１０で連結され、矩形をなした枠状体１１となっている。更に、この枠状体１１は、その一対が対向して一定の間隔を保って平行に位置せしめられ、それぞれ上端５、下端６同士がアルミ製の梁材９の端部とステンレス製のブランケット１０で連結され、４本の支柱１からなる直方状体をなしたやぐら形構造物１２を構成している。
【００１９】
又、このやぐら形構造物１２の下端の４隅にはキャスター１３が取り付けられており、やぐら形構造物１２を任意の方向に移動させることが出来る様になっている。
【００２０】
一方、前記各支柱１の袋状空間４内には、板状をなし、中央にネジ孔１４が形成されている複数の先入れナット１５が、前記張り出し片８の裏面１６側に接する様に、滑動自在に位置せしめられており、中央に透孔１７が形成されている板状をなした押圧板１８と、この押圧板１８の側縁からほぼ直角方向に延設された側板１９とからなるＬ形断面を呈した複数のスライド部材２０を、前記押圧板１８の裏面側を縦溝２の外側から前記先入れナット１５の裏面側に対向させ、前記透孔１７を通して固定用ネジ２１を先入れナット１５のネジ孔１４にねじ込み、先入れナット１５と押圧板１８とを張り出し片８の表裏に押圧させることにより、各支柱１の縦溝２の任意の位置にそれぞれ固定出来る様になっている。
【００２１】
更に、図中２４は、一対の支柱１，１間の間隔Ａとほぼ同じ長さＡ’を有する長尺状をなし、Ｌ形に組み合わされた側板２２と底板２３とからなる耐食性のアングル材であり、このアングル材２４の長手方向の側板２２の両端部の裏面を前記スライド部材２０の側板１９に溶接などによって固着せしめることにより、一対の支柱１，１間にアングル材２４が架橋状態で固定されている。
なお、アングル材２４は耐食性の観点からアルミやステンレスなどの素材のものを用いることが好ましいのが、電気亜鉛メッキ鋼板など十分な耐食性を有する鋼板も用いることが出来る。
そして、やぐら形構造物１２の４本の支柱１間の間隔Ｂによりわずかに小さい外寸Ｂ’を有する長方形を呈した平面形状を有する複数の棚材２５が、その側縁２６を前記アングル材２４の底板２３の上面に載置させることにより、やぐら形構造物１２の内側空間に上下位置調整可能状態で位置せしめられている。
なお、この実施例においては棚材２５は、図６に示す様に、板状のものであるが、図７に示す様に、隙間をあけて複数の棒材２７を平行に配置したすのこ状のものや、図８に示す様に、四方にすき間２８が形成されたネット状のものであっても良い。
【００２２】
この実施例は上記の通りの構成を有するものであり、やぐら形構造物１２の内側空間に間隔をあけて位置せしめられている棚材２５に各種部品や物品などを載置し、整理収納の用に供するものであるが、棚材２５は耐食性のアングル材２４によってその側縁が支持されており、このアングル材２４の両端はスライド部材２０の側板１９に固定されているので、スライド部材２０を支柱１の張り出し片８に押圧固定している固定用ネジ２１をゆるめて、図３において矢印で示す様に、上下にスライドさせてその固定位置を変更することにより、上下の棚材間２５，２５の間隔を自由に変更することが出来、高さの異なる部品や物品などを無駄なく効率的に整理収納することが可能である。
【００２３】
又、支柱１はアルミを素材としているので、耐食性にすぐれ、錆や錆を原因物質とする粉塵が発生するおそれが極めて少なく、これらの発生を極度に嫌う精密電子部品の整理収納やクリーンルームの作業の際にも用いることが出来る。なお、やぐら形構造物１２の天井面にＨＥＰＡフィルター用を付せれば、これ自体を簡単なクリーンルームとすることも可能である。
更に、支柱１にアルミ製押出成形材を使用しており、支柱自体には溶接等の加工を加えていないので、用廃後には支柱として用いたアルミ製押出成形材のリユースが可能で、貴重なアルミ資源の有効利用を図ることが出来る。
【００２４】
又、従来のスチール製のものに比べ、極めて軽量であり、女性や年長者でも簡単に移動させることが出来るので作業効率の大幅な改善を図ることが可能であると共に、メインテナンスフリーであり、従来のスチール製のものに比べ、はるかに優れた実用的価値を有する。
【産業上の利用可能性】
【００２５】
各種製品の製造現場、部品の在庫管理あるいは供給を担う物流分野などにおいて、大いに利用価値がある。
【符号の説明】
【００２６】
１．支柱
２．縦溝
３．肉厚
４．筒状空間
５．上端
６．下端
７．端縁
８．張り出し片
９．梁材
１０．ステンレス製ブラケット
１１．枠状体
１２．やぐら形構造物
１３．キャスター
１４．ネジ孔
１５．先入れナット
１６．裏面
１７．透孔
１８．押圧板
１９．側板
２０．スライド部材
２１．固定用ネジ
２２．側板
２３．底板
２４．アングル材
２５．棚材
２６．側縁
２７．棒材
２８．すき間
【図１】
0003197770.tif 000003
【図２】
0003197770.tif 000004
【図３】
0003197770.tif 000005
【図４】
0003197770.tif 000006
【図５】
0003197770.tif 000007
【図６】
0003197770.tif 000008
【図７】
0003197770.tif 000009
【図８】
0003197770.tif 000010